(57)【要約】【課題】周波数特性の異なる信号が入力された際に、外部信号を用いることなく、入力信号を自動的に調整できる音響再生装置の提供を目的とする。【解決手段】第一の分割回路１２と判定回路１６を用いて、入力された信号の周波数特性を分析し、第一の調整回路１４を用いて所望の周波数特性に調整した信号を、スイッチ回路１７を切り換えて出力できるように構成したものであり、周波数特性の異なるチャンネルを同一のシステムで再生する際、良好なスピーカ再生音を実現することができる。【選択図】図１
2006352403.tif 000002
【特許請求の範囲】
【請求項１】
音楽信号源と、この音楽信号源を所望の帯域に分割する少なくとも一つ以上のフィルターにより構成された分割回路と、この分割回路の出力から前記音楽信号源に含まれる周波数の判定を行う判定回路と、前記音楽信号源の周波数特性を所望の周波数特性に調整する少なくとも一つ以上のフィルターにより構成された調整回路と、この調整回路の出力を切り換えるスイッチ回路から構成され、前記判定回路の出力を用いて前記スイッチ回路の制御を行うことにより、所望の周波数特性に調整した信号を出力させるようにした音響再生装置。
【請求項２】
分割回路を複数個使用して、判定回路における周波数特性の判定の精度を向上させた請求項１に記載の音響再生装置。
【請求項３】
調整回路を複数個使用して、任意の音楽信号源すべての周波数特性が調整可能となるようにした請求項１または請求項２に記載の音響再生装置。
【発明の詳細な説明】
【技術分野】
【０００１】
本発明は、例えばＣＤとＤＶＤのウーハチャンネルのように、周波数特性の異なる録音がされたチャンネルを同一の音場環境で再生させる際に、良好な音質で再生させることのできる音響再生装置に関するものである。
【背景技術】
【０００２】
従来の音響再生装置は、例えばＣＤのような２チャンネルソースと、ＤＶＤのような低域しか録音されていないウーハチャンネルを含むマルチチャンネルソースを同一の音場再生環境で再生させるとき、スイッチにより２チャンネルの信号ラインとマルチチャンネルの信号ラインを切り換えて再生していた。
【０００３】
なお、この出願の発明に関連する先行技術文献情報としては、例えば、特許文献１が知られている。
【特許文献１】特開２００１−１１２０９８号公報
【発明の開示】
【発明が解決しようとする課題】
【０００４】
しかしながら、このような従来の音響再生装置の構成では、信号の切り換えを行う際、２チャンネルとマルチチャンネルを区別するための外部信号を必要とした。
【０００５】
本発明は、例えばウーハチャンネルのように周波数特性の異なる信号が入力された際、入力された音楽信号源の周波数特性の判定結果をもとに、調整回路の出力を切り換えるスイッチ回路の制御を行うことにより、出力信号を所望の周波数特性に調整して良好な再生を行える音響再生装置を提供することを目的とする。
【課題を解決するための手段】
【０００６】
前記従来の課題を解決するために、本発明の音響再生装置は、音楽信号源を所望の帯域に分割する少なくとも一つ以上のフィルターにより構成された分割回路と、この分割回路の出力から周波数の判定を行う判定回路と、音楽信号源の周波数特性を調整する少なくとも一つ以上のフィルターにより構成された調整回路と、この調整回路の出力を切り換えるスイッチ回路を有し、判定回路の出力信号に基づいてスイッチ回路の制御を行うことにより、音楽信号源を所望の周波数特性に調整した音楽信号を出力させるようにしたものである。
【発明の効果】
【０００７】
本発明の音響再生装置によれば、例えばＣＤのような２チャンネルソースとＤＶＤのようなマルチチャンネルソースの周波数特性の異なるチャンネルを再生する場合、音楽信号源そのものの周波数特性を用いることによって信号ラインの切り換えを行い、所望の周波数特性に調整することができる。これにより、ＤＶＤのウーハチャンネルやＣＤといった周波数特性の異なるチャンネルを同一のシステムで再生する際、良好なスピーカ再生音を実現することができる。
【発明を実施するための最良の形態】
【０００８】
以下、本発明の実施の形態について、図１から図６を用いて説明する。
【０００９】
（実施の形態１）
図１は本発明の実施の形態１における音響再生装置のブロック図である。
【００１０】
図１において、１１は入力信号である音楽信号源、１２はハイパスフィルター等で構成され音楽信号源１１を所望の帯域に分割する第一の分割回路、１４は音楽信号源１１を所望の周波数特性に調整するローパスフィルター、バンドパスフィルター等で構成された第一の調整回路、１６は第一の分割回路１２の出力信号を絶対値回路とコンパレータもしくはウインドコンパレータ等を用いることにより、入力信号に所望の帯域の信号が一定のレベル以上含まれているときのみスイッチをオンにするための信号を出力する判定回路、１７は判定回路１６の出力信号を用いて第一の調整回路１４を出力信号２０として用いるか、音楽信号源１１をそのまま出力信号２０として用いるかを切り換えるスイッチ回路である。
【００１１】
以上のような構成により、例えば音楽信号源１１として図４に示すような高域成分が一定のレベル以上含まれる信号が入力された場合は、例えばＣＤのような２チャンネルソースの混合信号がウーハ信号として用いられたと判定して、図５に示すような第一の調整回路１４の出力を出力信号として用い、音楽信号源１１として図６に示すような高域成分が含まれない信号が入力された場合は、例えばＤＶＤのようなマルチチャンネルソースのウーハ信号が用いられたと判定して、音楽信号源１１をそのまま出力させることができる。このように、図５と図６に示すように周波数特性がほぼ等しくなるような調整を行うことにより、例えば２チャンネルソースとマルチチャンネルソースのような異なる周波数特性が録音されたソースを再生しても、良好な再生が可能となる。
【００１２】
なお、本実施の形態では第一の分割回路１２の構成としてハイパスフィルターを用いたが、他の例としてバンドパスフィルターや他のフィルターを組み合わせるなどして、音楽信号源１１を所望の帯域に分割できるような構成にすれば同様の制御を行うことができるものである。
【００１３】
（実施の形態２）
図２は本発明の実施の形態２における音響再生装置のブロック図である。
【００１４】
図２において、１１は入力信号である音楽信号源、１２はバンドパスフィルター等で構成され入力信号を所望の帯域に分割する第一の分割回路、１３はバンドパスフィルター等で構成された入力信号を所望の帯域に分割する第二の分割回路、１４は音楽信号源１１を所望の周波数特性に調整するローパスフィルター、バンドパスフィルターなどで構成された第一の調整回路、１６は第一の分割回路１２と第二の分割回路１３の出力信号を絶対値回路とコンパレータもしくはウインドコンパレータ等を用いることにより入力信号に所望の帯域の信号が含まれているときのみスイッチをオンにする信号を出力する判定回路、１７は判定回路１６の出力信号を用いて第一の調整回路１４を出力信号２０として用いるか、音楽信号源１１をそのまま出力信号２０として用いるかを切り換えるスイッチ回路である。
【００１５】
以上のように分割回路を複数個用いる構成により、例えば第一の分割回路１２に低域周波数のみを抽出するローパスフィルターを使用し、第二の分割回路１３に高域周波数のみを抽出するハイパスフィルターを使用し、その出力結果を判定回路１６で判定することにより、音楽信号に低域周波数と高域周波数の両方が含まれているときのみ第一の調整回路１４によって、所望の周波数特性になるような信号処理が行われた音楽信号を出力し、低域周波数のみが含まれた場合は、信号処理を行わないようにすることができる。
【００１６】
（実施の形態３）
図３は本発明の実施の形態３における音響再生装置のブロック図である。
【００１７】
図３において、１１は入力信号である音楽信号源、１２はバンドパスフィルター等で構成され入力信号を所望の帯域に分割する第一の分割回路、１３はバンドパスフィルター等で構成された入力信号を所望の帯域に分割する第二の分割回路、１４は音楽信号源１１を所望の周波数特性に調整するローパスフィルターやバンドパスフィルター等で構成された第一の調整回路、１５は音楽信号源１１を所望の周波数特性に調整するローパスフィルターやバンドパスフィルター等で構成された第二の調整回路、１６は第一の分割回路１２と第二の分割回路１３の出力信号を絶対値回路とコンパレータもしくはウインドコンパレータ等を用いることにより、入力信号に所望の帯域の信号が含まれているときのみスイッチをオンにする信号を出力する判定回路、１７は判定回路１６の出力信号を用いて第一の調整回路１４を出力信号２０として用いるか、第二の調整回路１５を出力信号２０として用いるかを切り換えるスイッチ回路である。
【００１８】
以上のような構成により、実施の形態１および２と同様の判定結果を用いて制御を行うことができると共に、例えば音楽信号源に低域成分のみが含まれる場合には、その信号に対して最適な周波数特性になるような信号処理を行い、低域成分および高域成分の両方が含まれている場合には、その信号に対して最適な周波数特性になるような信号処理を行うといった周波数特性の個別最適化を行うことができる。
【００１９】
なお、本実施の形態１、２、３において、それぞれの構成はハードウェアで行っても、ソフトウェアによってデジタル信号処理を行っても、あるいはその両方を組み合わせても同様の制御を行うことができるものである。
【産業上の利用可能性】
【００２０】
本発明は、例えばＤＶＤとＣＤのように、特定のチャンネルに周波数特性の異なる録音がされたソースを良好な音質で再生させることができるという効果を有し、マルチチャンネル再生可能な音響再生装置に有用である。
【図面の簡単な説明】
【００２１】
【図１】本発明の実施の形態１における音響再生装置のブロック図
【図２】本発明の実施の形態２における音響再生装置のブロック図
【図３】本発明の実施の形態３における音響再生装置のブロック図
【図４】本発明の実施の形態における音楽信号源の入力信号の周波数特性図
【図５】本発明の実施の形態における第１の調整回路の出力信号の周波数特性図
【図６】本発明の実施の形態における音楽信号源のもう一つの入力信号の周波数特性図
【符号の説明】
【００２２】
１１  音楽信号源
１２  第一の分割回路
１３  第二の分割回路
１４  第一の調整回路
１５  第二の調整回路
１６  判定回路
１７  スイッチ回路
２０  出力信号
【図１】
2006352403.tif 000003
【図２】
2006352403.tif 000004
【図３】
2006352403.tif 000005
【図４】
2006352403.tif 000006
【図５】
2006352403.tif 000007
【図６】
2006352403.tif 000008